(57)【要約】本発明は携帯端末機のスケジュール管理方法及び装置を提供すること。前記携帯端末機でスケジュール検索リクエストのとき、設定された検索条件に対応する少なくとも１つのスケジュールを検索する過程と、及び前記検索結果、少なくとも１つのスケジュールが存在する場合、前記検索された少なくとも１つのスケジュールを時間軸及びスケジュール軸から構成される２次元形態で時間の流れによって表示する過程を含むことを特徴とする。このような本発明はユーザが連関されたスケジュールを一目に容易に把握することができ、効率的にスケジュールを管理することができる。
2014527238.tif 000002
【特許請求の範囲】
【請求項１】
携帯端末機のスケジュール管理方法であって、
前記携帯端末機におけるスケジュール検索リクエストに応じて、予め設定された検索条件に対応する少なくとも１つのスケジュールを検索する過程と、及び
前記検索の結果、少なくとも１つのスケジュールが存在する場合、前記検索された少なくとも１つのスケジュールを時間軸及びスケジュール軸から構成される２次元形態で時間の経過に従って表示する過程と、
を含むことを特徴とする携帯端末機のスケジュール管理方法。
【請求項２】
２次元形態で時間の経過に従って表示する過程は、
時間を横軸とし、スケジュールを縦軸とする２次元グラフ上に前記検索された少なくとも１つのスケジュールを表示する過程と、及び
各スケジュールを縦方向の互いに異なるラインで区分して出力する過程と、
を含むことを特徴とする、請求項１に記載の携帯端末機のスケジュール管理方法。
【請求項３】
前記スケジュール検索のためのスケジュール検索モード実行のときに、少なくとも１つのキーワードを入力するキーワード入力領域、検索期間を設定する期間設定領域及びスケジュールを検索するアカウントを選択するアカウント選択領域を含む検索条件設定画面を出力する過程と、及び
前記検索条件設定画面を通じて前記検索条件を設定する過程と、
をさらに含むことを特徴とする、請求項１に記載の携帯端末機のスケジュール管理方法。
【請求項４】
前記２次元形態で時間の経過に従って表示する過程は、
前記検索された少なくとも１つのスケジュールのうちのメモがリンクされたスケジュールが存在するのかを確認する過程と、
前記メモがリンクされたスケジュールが存在する場合、当該スケジュールの一側端にリンクされたメモが存在することを通知するアイコンを表示する過程と、
を含むことを特徴とする、請求項１に記載の携帯端末機のスケジュール管理方法。
【請求項５】
前記表示された少なくとも１つのスケジュールのうちのいずれか１つが選択される場合、選択されたスケジュールの詳細情報を出力する過程；及び
ズームイン／ズームアウトをリクエストする信号入力によって画面を拡大又は縮小する過程をさらに含むことを特徴とする、請求項１に記載の携帯端末機のスケジュール管理方法。
【請求項６】
前記検索条件に対応する少なくとも１つのスケジュールを検索する過程は、
前記携帯端末機のスケジュール管理アプリケーションに登録されたタスク、イベント及びメモを検索する過程；及び
スケジュール管理機能を提供するサーバーに前記検索条件を送信し、前記サーバーに登録されたスケジュールのうちで前記検索条件に対応する少なくとも１つのスケジュールを受信する過程のうちで少なくとも１つを含むことを特徴とする、請求項１に記載の携帯端末機のスケジュール管理方法。
【請求項７】
携帯端末機のスケジュール管理装置であって、
前記携帯端末機でスケジュール検索リクエストに応じて、予め設定された検索条件に対応する少なくとも１つのスケジュールを検索し、前記検索の結果、前記検索条件に対応する少なくとも１つのスケジュールが存在する場合、前記検索された少なくとも１つのスケジュールを時間軸及びスケジュール軸から構成される２次元形態で時間の経過に従って表示するように制御する制御部と、及び
前記制御部の制御によって、前記検索された少なくとも１つのスケジュールを前記２次元形態で表示する表示部と、を含むことを特徴とする携帯端末機のスケジュール管理装置。
【請求項８】
前記制御部は、
時間を横軸とし、スケジュール軸を縦軸とする２次元グラフ上に前記検索された少なくとも１つのスケジュールを表示し、各スケジュールを縦方向の互いに異なるラインで区分して表示するように前記表示部を制御することを特徴とする、請求項７に記載の携帯端末機のスケジュール管理装置。
【請求項９】
前記表示部は、
前記スケジュール検索のためのスケジュール検索モード実行のときに、少なくとも１つのキーワードを入力することができるキーワード入力領域、検索期間を設定する期間設定領域及びスケジュールを検索する少なくとも１つのアカウントを選択することができるアカウント選択領域を含む検索条件設定画面を表示することを特徴とする、請求項７に記載の携帯端末機のスケジュール管理装置。
【請求項１０】
前記制御部は、
前記検索された少なくとも１つのスケジュール表示のときに、メモがリンクされたスケジュールが存在するのかを確認し、前記メモがリンクされたスケジュールが存在する場合、当該スケジュールの一側端にリンクされたメモが存在することを通知するアイコンを共に表示することを特徴とする、請求項７に記載の携帯端末機のスケジュール管理装置。
【請求項１１】
前記制御部は、
前記表示された少なくとも１つのスケジュールのうちのいずれか１つのスケジュールが選択される場合、前記選択されたスケジュールの詳細情報を出力するように前記表示部を制御することを特徴とする、請求項７に記載の携帯端末機のスケジュール管理装置。
【請求項１２】
前記制御部は、
ズームインまたはズームアウトをリクエストする信号入力によって画面を拡大または縮小することを特徴とする、請求項７に記載の携帯端末機のスケジュール管理装置。
【請求項１３】
前記制御部は、
前記検索条件に対応するスケジュール検索がリクエストされる場合、前記携帯端末機のスケジュール管理アプリケーションに登録されたタスク、イベント及びメモを統合検索することを特徴とする、請求項７に記載の携帯端末機のスケジュール管理装置。
【請求項１４】
前記検索条件に対応するスケジュール検索がリクエストされる場合、前記制御部の制御下において前記検索条件をスケジュール管理機能を提供するサーバーに送信し、前記サーバーから前記検索条件に対応する少なくとも１つのスケジュールを受信する無線通信部をさらに含むことを特徴とする、請求項７に記載の携帯端末機のスケジュール管理装置。
【請求項１５】
前記制御部は、
前記検索条件設定画面を通じて入力された前記少なくとも１つのキーワードに対応して検索条件を設定することを特徴とする、請求項９に記載の携帯端末機のスケジュール管理装置。
【発明の詳細な説明】
【技術分野】
【０００１】
本発明は、スケジュール(Ｓｃｈｅｄｕｌｅ)管理方法及び装置に関し、特に携帯端末機に登録されたスケジュール検索を行う場合に、イベント、タスク、メモなどに登録されたすべてのスケジュールに対して統合検索を実行し、前記検索された少なくとも１つのスケジュールを時間の経過に従って表示する携帯端末機のスケジュール管理方法及び装置に関する。
【背景技術】
【０００２】
近年、情報通信技術と半導体技術などの眩しい発展によって携帯端末機の普及と利用が急速に増加している。これによって前記携帯端末機は現代人に必需品となった。前記携帯端末機は音声通話やメッセージの送受信のような一般的な通信機能外にもＴＶ視聴機能(例えば、ＤＭＢ(Ｄｉｇｉｔａｌ Ｍｕｌｔｉｍｅｄｉａ Ｂｒｏａｄｃａｓｔｉｎｇ)やＤＶＢ(Ｄｉｇｉｔａｌ Ｖｉｄｅｏ Ｂｒｏａｄｃａｓｔｉｎｇ)のような移動放送)、音楽再生機能(例えば、ＭＰ３（ＭＰＥＧ  Ａｕｄｉｏ  Ｌａｙｅｒ−３)、写真撮影機能、データ通信機能、インターネット接続機能及び近距離無線通信機能などの多様な機能を提供している。特に、最近の携帯端末機はスケジュール管理機能を提供している。
【０００３】
前記携帯端末機のスケジュール管理アプリケーション(Ａｐｐｌｉｃａｔｉｏｎ)は、一般的にタスク(Ｔａｓｋ)、イベント(Ｅｖｅｎｔ)、メモ(Ｍｅｍｏ)などの形態でスケジュールを登録することができる。一方、前記スケジュール管理アプリケーションは予め登録されたスケジュールを検索することができるスケジュール検索機能を提供する。
【発明の概要】
【発明が解決しようとする課題】
【０００４】
しかし、従来のスケジュール管理アプリケーションは、検索されたスケジュールをリスト形態で単純に並べて出力する機能のみを提供している。このように従来の携帯端末機は、検索結果をリスト形態にだけ表示するため、ユーザが時間の経過に従ってスケジュールを把握し難いという問題点を有している。また、従来の携帯端末機はタスク、イベント、メモのうちのいずれか１つのみに登録されたスケジュールしか検索することができない。即ち、前記スケジュール管理アプリケーションは互いに異なる形態(タスク、イベントまたはメモ)で登録されたスケジュールを一体的に（統合して）検索（integrally search、以下、統合検索）することができないという問題点がある。
【課題を解決するための手段】
【０００５】
従って、本発明は前述の従来技術の問題点を解決するために創案されたもので、本発明の目的は、スケジュール検索のときに、検索結果を時間の経過に従って表示する携帯端末機のスケジュール管理方法及び装置を提供することにある。
【０００６】
本発明の他の目的は、スケジュール検索のとき、イベント、タスク、メモなどに登録されたすべてのスケジュールを統合検索して表示する携帯端末機のスケジュール管理方法及び装置を提供することにある。
【０００７】
本発明のまた他の目的は、スケジュール検索のときに、携帯端末機に登録されたスケジュールだけではなくスケジュール管理機能を提供するサーバーに登録されたスケジュールも検索して表示することができる携帯端末機のスケジュール管理方法及び装置を提供することにある。
【０００８】
上述したような目的を果たすための本発明の好ましい実施形態による携帯端末機のスケジュール管理方法は、前記携帯端末機でスケジュール検索リクエストのときに、設定された検索条件に対応する少なくとも１つのスケジュールを検索する過程と、及び前記検索の結果、少なくとも１つのスケジュールが存在する場合、前記検索された少なくとも１つのスケジュールを時間軸及びスケジュール軸から構成される２次元形態で時間の経過に従って表示する過程と、を含むことを特徴とする。
【０００９】
上述したような目的を果たすための本発明の好ましい他の実施形態による携帯端末機のスケジュール管理装置は、前記携帯端末機でスケジュール検索リクエストのときに、設定された検索条件に対応する少なくとも１つのスケジュールを検索し、前記検索の結果、前記検索条件に対応する少なくとも１つのスケジュールが存在する場合、前記検索された少なくとも１つのスケジュールを時間軸及びスケジュール軸から構成される２次元形態で時間経過に従って表示するように制御する制御部と、及び前記制御部の制御によって前記検索された少なくとも１つのスケジュールを前記２次元グラフ上に表示する表示部と、を含むことを特徴とする。
【発明の効果】
【００１０】
以上、上述したように本発明の実施形態による携帯端末機のスケジュール管理方法及び装置によれば、スケジュール検索のときに、検索されたスケジュールを２次元形態で時間の経過に従って表示するため、ユーザが全体スケジュール(entire schedule)を容易に把握することができる。また、本発明は携帯端末機のスケジュール管理アプリケーションのイベント、タスク及びメモなどに登録されたすべてのスケジュールを統合検索し、検索結果を時間経過に従って表示することによって、ユーザは関連づけられたスケジュールを容易に把握することができ、全体スケジュールを体系的に管理することができる。また、本発明はスケジュール検索のときに、スケジュール管理機能を提供するサーバーに登録されたスケジュールを検索することができ、それ故に、検索機能は、チームメート間に共有されたチームスケジュール、又は、個人スケジュールだけでなくグループを構成する人のためのグループスケジュールのために実行され、よって共有されたチームスケジュールも容易に検索することができる。
【図面の簡単な説明】
【００１１】
【図１】本発明の実施形態による携帯端末機の構成を概略的に示したブロック図である。
【図２】本発明の実施形態による携帯端末機のスケジュール管理方法を説明するためのフローチャートである。
【図３】本発明の実施形態による検索条件設定画面を示した画面例示図である。
【図４】本発明の実施形態による検索結果画面を示した画面例示図である。
【発明を実施するための形態】
【００１２】
以下、添付された図面を参照して本発明の好ましい実施形態を詳しく説明する。本発明は多様な形態で実施されることができ、後述する実施形態に限定されない。この時、添付された図面で同一構成要素は可能な同一符号に付している事に留意すべきである。また、本発明の要旨を不明瞭にする公知機能及び構成に対する詳細な説明は省略する。
【００１３】
一方、本明細書及び図面に開示された本発明の実施形態は本発明の記述内容を容易に説明して本発明の理解を助けるために特定例を提示したものであって、本発明の範囲を限定しようとするものではない。ここに開示された実施形態の以外にも本発明の技術的思想に基づいた他の変形形態が実施可能であるということは本発明が属する技術分野で通常の知識を有する者に自明なものである。
【００１４】
詳細な説明に先立って、以下、本発明の実施形態による携帯端末機はスケジュール管理機能を備える電子機器として、移動通信端末機、個人情報端末機(ＰＤＡ)、スマートフォン(Ｓｍａｒｔ Ｐｈｏｎｅ)、タブレット(Ｔａｂｌｅｔ)ＰＣ(Ｐｅｒｓｏｎａｌ Ｃｏｍｐｕｔｅｒ)、ＰＭＰ(Ｐｏｒｔａｂｌｅ Ｍｕｌｔｉｍｅｄｉａ Ｐｌａｙｅｒ) などを含むことができる。
【００１５】
図１は、本発明の実施形態による携帯端末機１００及びサーバー２００の構成を概略的に示したブロック図である。
【００１６】
前記図１を参照すれば、本発明の実施形態によるサーバー２００は、スケジュール管理機能を提供するコンピュータ装置であり、ウェブサーバー又はクラウドサーバーなどであってもよい。前記サーバー２００は、携帯端末機１００から少なくとも１つのスケジュールを受信し、記憶することができる。例えば、前記サーバー２００は携帯端末機１００とスケジュールを同期化することができる。前記サーバー２００は、ユーザによって入力されたまたは設定されたスケジュール検索リクエスト及び検索条件を携帯端末機１００から受信することができる。前記サーバー２００は前記検索条件に対応する少なくとも１つのスケジュールを検索し、検索された少なくとも１つのスケジュールを携帯端末機１００に送信することができる。
【００１７】
本発明の実施形態による携帯端末機１００は無線通信部１５０、入力部１４０、表示部１３０、記憶部１２０及び制御部１１０の構成を含むことができる。
【００１８】
前記無線通信部１５０は、基地局と通話(音声通話及び画像通話含み)のための通信チャンネル及びデータ送信のためのデータ通信チャンネルなどを形成することができる。これのために、前記無線通信部１５０は、送信された信号の周波数上昇変換及び増幅を行う無線周波数送信部(図示せず)、受信された信号を低雑音増幅して周波数下降変換する無線周波数受信部(図示せず)、及び受信信号と送信信号を分離する送受信分離部(図示せず))などを含むことができる。特に、本発明の実施形態による無線通信部１５０は前記携帯端末機１００のスケジュール管理アプリケーション(Ａｐｐｌｉｃａｔｉｏｎ)がスケジュール同期化(Ｓｙｎｃｈｒｏｎｉｚａｔｉｏｎ)機能をサポートする場合、サーバー２００に携帯端末機１００のスケジュールを送信したり、前記サーバー２００からスケジュールを受信することができる。前記無線通信部１５０は、スケジュール検索リクエストのときに、ユーザが入力(設定)した検索条件をサーバー２００に送信し、前記サーバー２００から検索条件に対応する少なくとも１つのスケジュールを受信することができる。この時、前記サーバー２００はスケジュール管理機能を提供するサーバーとして、ウェブサーバー、クラウドサーバーなどになることができる。
【００１９】
前記入力部１４０は、数字または多様な文字情報が入力され、各種機能の設定及び前記携帯端末機１００の機能制御のための入力キー及び機能キーを含むことができる。特に、本発明による前記入力部１４０は、スケジュール検索モードの実行をリクエストする信号及び設定された検索条件によって携帯端末機１００に登録されたスケジュール検索をリクエストする信号などを制御部１１０に送信することができる。このような前記入力部１４０は、ボタン式キーパッド（Ｋｅｙ  Ｐａｄ)、ボールジョイスティック(Ｂａｌｌ  Ｊｏｙｓｔｉｃｋ)、オプティカルジョイスティック(Ｏｐｔｉｃａｌ Ｊｏｙｓｔｉｃｋ)、ホイールキー(Ｗｈｅｅｌ Ｋｅｙ)、タッチパッド(Ｔｏｕｃｈ Ｐａｄ)、タッチスクリーン(Ｔｏｕｃｈ Ｓｃｒｅｅｎ)などのような入力手段のうちのいずれか１つまたはこれらの組み合わせから形成されることができる。
【００２０】
前記表示部１３０は、携帯端末機１００の各種メニューとともに、ユーザが入力した情報またはユーザに提供する情報を表示する。即ち、表示部１３０は、携帯端末機１００の利用による多様な画面、例えば、待機画面、メニュー画面、メッセージ作成画面、通話画面などを提供することができる。特に、本発明の表示部１３０はスケジュール検索モードの実行のときに、前記スケジュール検索のための検索条件を設定することができる検索条件設定画面を表示し、前記スケジュール検索リクエストのときに、前記検索条件による検索結果画面を表示することができる。前記検索結果画面は、時間軸及びスケジュール軸から構成される２次元形態で前記検索されたスケジュールを、時間の経過に従って表示する。例えば、前記表示部１３０は、制御部１１０の制御下において、時間を横軸とし、スケジュールを縦軸とする２次元グラフを表示し、各スケジュールを縦方向の互いに異なるラインで区分して表示することができる。また、前記表示部１３０は、検索結果画面から選択されたスケジュールの詳細情報画面を出力することができる。このような前記表示部１３０に対する詳細な説明は図３及び図４の画面例示図を参照して後述する。前記表示部１３０は、液晶表示装置（Ｌｉｑｕｉｄ  Ｃｒｙｓｔａｌ  Ｄｉｓｐｌａｙ: ＬＣＤ）、ＯＬＥＤ(Ｏｒｇａｎｉｃ  Ｌｉｇｈｔ  Ｅｍｉｔｔｅｄ  Ｄｉｏｄｅ)、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｅｄ  Ｄｉｏｄｅ）などから形成されることができる。また、前記表示部１３０がタッチスクリーンから形成される場合、前記表示部１３０は入力部１４０の機能を共に実行することができる。前記表示部１３０は、入力部１４０と共に動作したり、入力部１４０に組み込まれてもよい(ｉｎｃｏｒｐｏｒａｔｅ)。前記入力部１４０と連動(ｃｏｎｊｕｎｃｔｉｏｎ)された表示部１３０は、ユーザが携帯端末機１００をアクセスしたり、上述した多様な機能を実行するようにするグラフィックユーザーインターフェース(ＧＵＩ)を提供することができる。
【００２１】
前記記憶部１２０は、携帯端末機１００のオペレーティングシステム(基本ソフト、ＯＳ、Ｏｐｅｒａｔｉｎｇ  Ｓｙｓｔｅｍ)を含み、その他のオプション(ｏｐｔｉｏｎｓ)機能、例えば、音再生機能、イメージまたは動画像再生機能、放送再生機能などに必要なアプリケーションプログラムを含み、ユーザデータ及び通信のとき、送受信されるデータなどを記憶することができる。前記記憶部１２０は、少なくとも１つのスケジュール管理アプリケーションを記憶することができる。前記スケジュール管理アプリケーションは、イベント、タスク、メモなどの形態でスケジュールを登録することができる。特に、本発明による前記記憶部１２０はスケジュール検索プログラムを記憶することができる。前記スケジュール検索プログラムは、携帯端末機１００のスケジュール管理アプリケーションに登録されたスケジュールのうちでユーザが入力した検索条件(例えば、キーワード(ｋｅｙｗｏｒｄ)、検索期間(Ｓｅａｒｃｈ  Ｐｅｒｉｏｄ)、アカウント(Ａｃｃｏｕｎｔ)など)に対応するスケジュールを検索し、検索結果を２次元形態で時間経過に従って表示することができる。また、前記スケジュール検索プログラムは、スケジュール管理機能を提供するサーバー２００に登録されたスケジュールを検索することもできる。これのために、前記スケジュール検索プログラムは、ユーザが入力した検索条件を、無線通信部１５０を通じてサーバー２００に送信し、前記無線通信部１５０を通じてサーバー２００から検索結果を受信することができる。
【００２２】
前記制御部１１０は、携帯端末機１００の全般的な動作及び携帯端末機１００の内部ブロックの間の信号流れを制御し、データを処理するデータ処理機能を実行することができる。特に、本発明による制御部１１０は、スケジュール検索モードが実行されると、ユーザが入力部１４０を利用して前記スケジュール検索のための検索条件を設定することができる検索条件設定画面を出力するように前記表示部１３０を制御することができる。前記検索条件設定画面は、少なくとも１つのキーワード(ｋｅｙｗｏｒｄ)を入力することができるキーワード入力領域、スケジュールを検索する検索期間を設定する期間設定領域及びスケジュールを検索するアカウントを選択するアカウント選択領域を含むことができる。前記アカウントは、複数のスケジュール管理アプリケーションのアカウントになることができる。例えば、前記アカウントは電子メールアカウントになることができる。各電子メールアカウントは、ユーザと関連したり、ユーザのグループ(例えば、スケジュールを共有するチーム)と関連している。前記電子メールアカウントは、サーバー２００に記憶されたり、アクセス可能なデータベースに記憶され、電子メールアドレスによってリスト（一覧表）化されることができる。前記電子メールアカウントまたは電子メールアドレスは、アラーム(通知、notification)を提供したり、ミーティングのようなイベントを想起させるためにスケジュールが発送される目的地（デスティネーション、destination）となることができる。
【００２３】
前記制御部１１０は、スケジュール検索がリクエストされる場合、前記検索条件設定画面を通じて入力された検索条件に対応する少なくとも１つのスケジュールが、前記携帯端末機１００またはサーバー２００に存在するのかを確認することができる。即ち、前記制御部１１０は、携帯端末機１００に含まれた少なくとも１つのスケジュール管理アプリケーションに予め登録されたタスク、イベント及びメモ上に、前記検索条件に対応するスケジュールが存在するのかを確認することができる。前記検索条件に対応するスケジュールが携帯端末機１００に存在する場合、前記制御部１１０は前記検索された少なくとも１つのスケジュールを、時間軸及びスケジュール軸から構成される２次元形態で時間の経過に従って表示部１３０に表示することができる。また、前記制御部１１０は、スケジュール管理機能を提供するサーバー２００に前記検索条件を送信し、サーバー２００から検索結果を受信して受信された少なくとも１つのスケジュールを時間の経過に従って表示することができる。例えば、前記制御部１１０は、時間線(Ｔｉｍｅ  Ｌｉｎｅ)に基づいて検索されたスケジュールを表示するように前記表示部１３０を制御することができる。また、前記制御部１１０は、検索されたスケジュールを表示するとき、各スケジュールの名称及び前記各スケジュールに係るキーワードを検索結果画面に共に表示することができる。また、前記制御部１１０は前記検索された少なくとも１つのスケジュールのうちのメモがリンク(または添付)されたスケジュールが存在するのかを確認し、前記メモがリンク(または添付)されたスケジュールが存在する場合、当該スケジュールの一側端にこれを通知するアイコンを表示することができる。
【００２４】
一方、前記検索されたスケジュールを表示した検索結果画面で特定スケジュールが選択される場合、前記制御部１１０は、選択された特定スケジュールに対する詳細情報を出力するように前記表示部１３０を制御することができる。また、前記制御部１１０は、タッチスクリーン(図示せず)または入力部１４０を通じて入力されるズームイン／アウト(Ｚｏｏｍ Ｉｎ／Ｏｕｔ)信号によって前記検索結果画面を拡大／縮小させることができる。
【００２５】
一方、上記図１に図示しなかったが、前記携帯端末機１００は、近距離無線通信のための近距離通信モジュール、放送受信のための放送受信モジュール、ＭＰ３モジュールのようなデジタル音源再生モジュール及びインターネット機能を実行するインターネット通信モジュールなどの付加機能を有する構成要素を選択的にさらに含むことができる。このような構成要素はデジタル機器のコンバージェンス(収束、ｃｏｎｖｅｒｇｅｎｃｅ)の趨勢によって変形が非常に多様であって、あらゆる変形を列挙することはできないが、本発明による携帯端末機１００は、前記言及された構成要素と同等な水準の構成要素をさらに含むことができる。
【００２６】
図２は、本発明の実施形態による携帯端末機のスケジュール管理方法を説明するためのフローチャートである。
【００２７】
上記図１及び図２を参照すれば、本発明の実施形態による制御部１１０は、２０１段階において待機状態(Ｉｄｌｅ ｓｔａｔｅ)であってもよい。以後、前記制御部１１０は、２０３段階においてスケジュール検索モードが実行されるのかを確認することができる。前記スケジュール検索モードは、予め設定された機能キー、ソフトキー入力のときに実行されることができる。または、前記スケジュール検索モードはメニュー、ショートカットメニューを通じて実行されることができる。
【００２８】
前記スケジュール検索モードが実行されなければ、前記制御部１１０は２２１段階において当該機能を実行することができる。例えば、前記制御部１１０は、ユーザのリクエストに応じてスケジュール登録機能、削除機能、修正機能などを実行したり、音楽再生機能、放送受信機能などを実行することができる。または、前記制御部１１０は、待機状態を維持することもできる。一方、前記スケジュール検索モードが実行されると、前記制御部１１０は、２０５段階においてスケジュール検索のための検索条件を設定することができる検索条件設定画面を出力することができる。前記検索条件設定画面は、キーワードを入力するキーワード入力領域、検索する期間を設定することができる期間設定領域及び検索するアカウントを選択することができるアカウント選択領域を含むことができる。前記アカウントは、携帯端末機１００またはサーバー２００に含まれたスケジュール管理アプリケーションになることができる。以後、ユーザは、２０７段階において、検索しようとするスケジュールに係る検索条件を設定することができる。ここで、前記検索条件設定に対する説明は図３を参照して後述する。
【００２９】
前記制御部１１０は、２０９段階において検索リクエストが入力されるのかを確認することができる。即ち、前記制御部１１０は検索メニューが入力されるのかを確認することができる。前記検索リクエストが入力されない場合、前記制御部１１０は２０９段階を維持することができる。一方、前記検索リクエストが入力されると、前記制御部１１０は２１１段階において前記検索条件に基づいて携帯端末機１００に含まれたスケジュールを検索することができる。この時、前記制御部１１０はスケジュール管理アプリケーションに予め登録されたタスク(Ｔａｓｋ)、イベント(Ｅｖｅｎｔ）及びメモ(Ｍｅｍｏ)を共に検索して前記検索条件に対応する少なくとも１つのスケジュールが存在するのかを確認するのが好ましい。
【００３０】
前記スケジュール検索が完了すると、前記制御部１１０は、２１３段階において前記検索条件に対応する少なくとも１つのスケジュールが存在するのかを確認することができる。前記確認の結果、前記検索条件に対応するスケジュールが存在しない場合、前記制御部１１０は、２１５段階においてスケジュールが存在しないことを通知するメッセージを出力するように表示部１３０を制御することができる。例えば、前記スケジュールが存在しないことを通知するメッセージは、視覚メッセージ及び／又は記憶部１２０に予め記憶された効果音または予め録音された音声メッセージなどのようなオーディオメッセージを含むことができる。前記オーディオメッセージは携帯端末機１００のスピーカーを通じて出力されることができる。この後、予め設定されたスケジュール時間(例えば、２秒)が経過すると、前記制御部１１０は２０５段階へ復帰することができる。この時、前記制御部１１０は以前に設定された検索条件が入力された状態で前記検索条件設定画面を出力したり、以前に入力された条件を除去して初期状態で検索条件設定画面を出力するように表示部１３０を制御することができる。
【００３１】
一方、前記検索条件に対応するスケジュールが存在する場合、前記制御部１１０は、２１７段階において検索されたスケジュールを、時間軸及びスケジュール軸から構成される２次元形態で時間の経過に従って表示することができる。この時、前記制御部１１０は、時間線(Ｔｉｍｅ  Ｌｉｎｅ)に基づいて、前記検索されたスケジュールを表示することができる。これに対する説明は図４を参照して後述する。
【００３２】
次いで、前記制御部１１０は２１９段階においてスケジュール検索モード終了信号が入力されるのかを確認することができる。前記スケジュール検索モード終了信号が入力される場合、前記制御部１１０は、スケジュール検索モードを終了して待機状態へ復帰することができる。一方、前記スケジュール検索モード終了信号が入力されない場合、前記制御部１１０は、２２０段階へ進行して他のスケジュール検索がリクエストされるのかを確認することができる。前記他のスケジュール検索がリクエストされない場合、前記制御部１１０は前記２１９段階へ進行することができる。一方、前記他のスケジュール検索がリクエストされる場合、前記制御部１１０は前記２０５段階へ復帰して上述した過程を繰り返し実行することができる。例えば、前記制御部１１０は、以前の段階への移動コマンド(例えば、キャンセルキー)が入力される場合、前記２０５段階へ復帰して検索条件設定画面を出力することができる。この時、ユーザは前記検索条件設定画面を通じて検索条件を変更してスケジュールを新たに検索することができる。
【００３３】
一方、上記図２に図示しなかったが、前記２１３段階においてスケジュールが存在しない場合、本発明の他の実施形態による制御部１１０は、スケジュールが表示されないブランクタイムライン画面（blank time line screen、空いた時間線画面）を出力するようにすることもできる。また、前記２１５段階においてメッセージをスケジュール時間の間に出力した後、２０５段階へ復帰することを説明したが、前記制御部１１０は、前記メッセージの除去コマンドが入力されるまで前記メッセージの出力を維持するように制御することもできる。
【００３４】
また、上記図２に図示しなかったが、前記２１７段階で前記検索されたスケジュールのうちで特定スケジュールが選択される場合、前記制御部１１０は選択されたスケジュールの詳細情報画面を出力することができる。または、前記制御部１１０は、ズームアウト／インコマンドに対応して検索結果画面を拡大／縮小することができる。これに対する説明は図４を参照して後述する。
【００３５】
また、以上では携帯端末機１００に登録されたスケジュールのみを検索することを例に挙げて説明したが本発明がここに限定されない。例えば、前記制御部１１０は、スケジュール管理機能を提供するサーバー２００(例えば、ウェブサーバー、クラウドサーバーなど)に前記検索条件を送信し、前記サーバー２００に前記検索条件に対応する少なくとも１つのスケジュールが存在する場合、前記サーバー２００から前記検索条件に対応する少なくとも１つのスケジュールを受信することができる。このようにサーバー２００に登録されたスケジュールを検索するように設定した場合、本発明は個人スケジュールだけでなく、チーム単位に運用されて共有されるチームスケジュールも共に検索することができ、より効率的にスケジュールを管理することができる。
【００３６】
以下では画面例示図を通じて本発明をより詳しく説明する。一方、以下では説明の便宜のために前記表示部１３０がタッチスクリーンで形成されたと仮定して説明する。
【００３７】
図３は、本発明の実施形態による検索条件設定画面を示した画面例示図である。
【００３８】
上記図３を参照すると、スケジュール検索モードが実行されると、前記表示部１３０は識別符号３１０の画面例示図のような検索条件設定画面を表示することができる。前記検索条件設定画面は、検索するスケジュールに係るキーワードを入力することができるキーワード入力領域３１、スケジュールを検索する期間を設定することができる期間設定領域３２、スケジュールを検索するアカウント(Ａｃｃｏｕｎｔ)を選択することができるアカウント選択領域３３及びメニュー領域３４を含むことができる。ここで、前記アカウントはスケジュール管理アプリケーションのアカウントになることができる。例えば、前記アカウントは電子メールアカウントになることができる。各電子メールアカウントはユーザと関連したり、スケジュールを共有するチームのようなユーザのグループと関連している。この電子メールアカウントはサーバー２００及び／又はアクセス可能なデータベースに記憶されることができる。
【００３９】
前記図３を参照すると、スケジュール管理アプリケーションは、アカウント選択領域３３において設定されることができる。アカウント選択領域３３は、携帯端末機１００のユーザに関連する電子メールアカウントによって使用される電子メールサービスのカレンダー機能のような基本（デフォルト）アカウントのためのカレンダーを設定する基本（デフォルト）アプリケーションに対する領域である。
【００４０】
前記検索条件設定画面３１０において、ユーザがキーワード入力領域３１をタッチすると、前記表示部１３０は、識別符号３２０の画面例示図に示したように仮想キーパッド３５を出力することができる。ユーザは前記仮想キーパッド３５を利用して、検索しようとするスケジュールに係るキーワード(Ｋｅｙｗｏｒｄ)を入力することができる。一方、ユーザによってキーワードが入力されると、前記制御部１１０は入力されたキーワードに基づいて予想される候補キーワード３６を抽出して、前記識別符号３２０の画面例示図に示したように前記キーワード入力領域３１下端に、前記抽出された候補キーワード３６を表示することができる。例えば、候補キーワード３６はプル−ダウン(ｐｕｌｌ−ｄｏｗｎ) メニューで表示されることができる。前記候補キーワード３６は携帯端末機１００に予め登録されたスケジュールのタイトル（Ｔｉｔｌｅ）または名前(ｎａｍｅｓ)のうちから抽出されることができる。追加的に、従来より知られたキーワード検索及びマッチング方法は、タイトルから候補キーワード３６を見つけるために使用されることができ、従来より知られた方法で候補キーワード３６を自動で完成することができる。例えば、ユーザが「Ｗｅｄ」を入力した時、「Ｊａｍｅｓ’s  Ｗｅｄｄｉｎｇ」のような多様な候補を獲得することができる。従って、キーワード抽出は、スケジュールのタイトルの最初にある単語及びシンボルを検索することに限定されず、従来のようにマッチングされる候補を検索することができる。
【００４１】
前記識別符号３２０の画面のような状態で、前記候補キーワード３６のうちのいずれか１つ(例えば、「Ｗｅｄｄｉｎｇ」)がユーザによって選択されると、前記制御部１１０は、識別符号３３０の画面例示図に示したように、選択された候補キーワード「Ｗｅｄｄｉｎｇ」をキーワード入力領域３１に入力することができる。一方、ユーザは、キーワード領域追加メニュー３７をタッチして識別符号３４０の画面例示図に示したように新しいキーワード入力領域３８を追加した後、新しいキーワード「Ｍｅｅｔｉｎｇ」を追加することができる。この時、前記制御部１１０は、以前のキーワード入力領域３１のキーワード追加メニュー３７を削除メニュー３９に変更することができる。例えば、プラス表示のアイコンを含むキーワード領域追加メニュー３７はマイナス表示のアイコンを含む削除メニュー３９に変更されることができる。
【００４２】
次いで、識別符号３４０の画面例示図で、ユーザがアカウント選択領域３３をタッチする場合、前記表示部１３０は識別符号３５０の画面例示図に示したように前記携帯端末機１００に存在するアカウントのリスト４０を出力することができる。前記リスト４０は、電子メールアドレスだけでなく、「Ｍｙ  Ｃａｌｅｎｄａｒ」でラベルされた基本カレンダーを含むことができる。前記リスト４０でスケジュール検索のための少なくとも１つのアカウントが選択されると、前記表示部１３０は識別符号３６０の画面例示図に示したように前記リスト４０を除去し、前記アカウント選択領域３３に選択されたアカウントに対する情報を表示することができる。
【００４３】
一方、上記図３に図示しなかったが、ユーザは前記期間設定領域３２を通じてスケジュールを検索する期間を設定することができる。前記期間設定方法は、ユーザが開始日付入力領域３２ａまたは終了日付入力領域３２ｂをタッチした後、仮想キーパッドを通じて日付を直接入力するようにしたり、前記開始日付入力領域３２ａ及び終了日付入力領域３２ｂタッチした時にカレンダーを出力し、前記カレンダーからユーザが望む日付を選択して検索期間を設定するようにできる。
【００４４】
上述した方法を通じて検索条件設定が完了した後、検索メニュー４１をタッチすると、前記制御部１１０は、設定された検索条件に基づいてスケジュール検索を実行し、検索結果を２次元形態で時間の経過に従って出力するように表示部１３０を制御することができる。この時、前記検索期間及びアカウントに対する条件を設定しない場合、前記制御部１１０は、全体期間及び全体アカウントに対してスケジュールを検索することができる。または、ユーザは現在動作を取り消したり、表示部１３０の現在画面をクリアするために画面例示図３１０及び３３０乃至３６０において示されたキャンセルアイコンを押すことができる。
【００４５】
図４は、本発明の実施形態によるスケジュール検索結果画面を示した画面例示図である。
【００４６】
上記図４を参照すると、前記表示部１３０はスケジュール検索が完了すると、識別符号４１０の画面例示図のような検索結果画面を出力することができる。即ち、前記制御部１１０は、検索された少なくとも１つのスケジュールを時間線(Ｔｉｍｅ  Ｌｉｎｅ)形態で表示することができる。詳しくは、前記制御部１１０は、時間軸及びスケジュール軸から構成される２次元形態で、前記検索されたスケジュールを時間の経過に従って表示するように表示部１３０を制御することができる。上記図４では時間を横軸とし、スケジュールを縦軸とする２次元グラフを利用して検索されたスケジュールを表示する例を図示している。しかし、本発明がここに限定されない。即ち、本発明の他の例ではスケジュールを横軸とし、時間を縦軸とする２次元グラフ上に検索されたスケジュールを表示することもできる。
【００４７】
また、前記検索結果画面は、キーワード及び検索期間を表示する検索条件表示領域５１及び検索された少なくとも１つのスケジュールを表示するスケジュール表示領域５２を含むことができる。前記検索条件表示領域５１の右側端には全体画面のうちで表示部１３０に現在出力されている画面の位置を表す画面位置表示窓４３が表示されることができる。
【００４８】
前記制御部１１０は、ユーザが入力したキーワード及び検索期間を検索条件表示領域５１に表示することができる。即ち、前記識別符号４１０の画面例示図を参照すれば、ユーザがキーワード「Ｗｅｄｄｉｎｇ」、「Ｍｅｅｔｉｎｇ」及び検索期間「２０１１年１月３０日〜２０１１年５月１４日」の検索条件を利用してスケジュールを検索したことを分かる。一方、上記図４に図示しなかったが、前記制御部１１０は、スケジュールを検索したアカウントを表すアイコンを検索条件表示領域５１にさらに表示することができる。
【００４９】
前記制御部１１０は、検索されたスケジュールを表示する時に、各スケジュールを棒グラフ形態で表示することができる。この時、前記棒グラフの横長さは当該スケジュールの所要期間を意味する。前記識別符号４１０の画面例示図を参照すると、第１スケジュール１は１月３０日の一日の所要期間を有し、第２スケジュール２は１月３１日から２月５日まで６日の所要期間を有し、第３スケジュール３は２月７日から２月１３日まで７日の所要期間を有することが分かる。
【００５０】
前記制御部１１０は、検索された各スケジュールを縦方向(スケジュールを縦軸とする場合)の互いに異なるラインで区分して表示することができる。また、前記制御部１１０は、検索結果の表示時に各スケジュールの名称と前記各スケジュールと関連づけられたキーワードを共に表示することができる。例えば、前記識別符号４１０の画面例示図を参照すると、前記第１スケジュール１の名称は「Ｋｉｃｋ  ｏｆｆ」であり、関連づけられたキーワードは「Ｍｅｅｔｉｎｇ」であり、前記第２スケジュール２の名称は「Ｐｈｏｔｏｇｒａｐｈ」であり、関連づけられたキーワードは「Ｗｅｄｄｉｎｇ」であり、第３スケジュール３の名称は「Ｉｄｅａｔｉｏｎ」であり、関連づけられたキーワードは「Ｗｅｄｄｉｎｇ」であることを分かる。関連づけられたキーワードは水平バーが占める領域に示される。このようにスケジュールの名称とキーワードを共に表示することによって、本発明は複数のキーワードによってスケジュールを検索した場合にも各スケジュールに係るキーワードをユーザが容易に認知することができる。
【００５１】
また、前記制御部１１０は、検索結果を表示する時に、検索されたスケジュールのうちでメモがリンクされたスケジュールが存在するのかを確認し、前記メモがリンクされたスケジュールが存在する場合、当該スケジュールの一側端にリンク(または添付)されたメモが存在することを通知するアイコンを表示することができる。例えば、前記識別符号４１０の画面例示図の第２スケジュール２及び第３スケジュール３と共に棒グラフの右側端に「Ｍ」形状のアイコンを表示することができる。しかし、本発明は、「Ｍ」形状のアイコンを表示することに限定されない。メモアイコンのクリックまたはタップによって、表示されたスケジュールに関連するチームリスト、ミーティング会議録または他の追加情報のような添付されたメモを呼び出すことができる。
【００５２】
一方、前記検索結果画面はズームイン／ズームアウトが可能である。例えば、前記識別符号４１０の画面例示図のような状態でズームアウト(Ｚｏｏｍ  Ｏｕｔ)コマンド(例えば、マルチタッチ後のピンチ(Ｐｉｎｃｈ))を入力すると、前記制御部１１０は識別符号４２０の画面例示図に示したように検索結果画面を縮小して出力することができる。これを通じてユーザは全体スケジュールを一目で容易に把握することができる。反対に、前記識別符号４２０の画面例示図のような状態でズームイン(Ｚｏｏｍ Ｉｎ)コマンド(例えば、マルチタッチ後のストレッチ(Ｓｔｒｅｔｃｈ)を入力すると、前記制御部１１０は、識別符号４１０の画面例示図に示したように検索結果画面を拡大して出力することができる。
【００５３】
図４の画面例示図４１０、４２０に示したように、前記画面位置表示ウィンドウ４３は表示されたスケジュールの代表を変更することができる。前記画面位置表示ウィンドウ４３は、ズームインまたはズームアウトされることができ、検索結果の視覚的通知をユーザに提供し、表示部１３０上に提供されるＧＵＩを追加的にスクロ−ルリングすることによってアクセス可能である。
【００５４】
前記検索結果画面に表示されたスケジュールのうちで特定スケジュールが選択(タッチ)されると、前記制御部１１０は選択されたスケジュールの詳細情報を出力することができる。例えば、前記識別符号４１０の画面例示図で第３スケジュール３をタッチすると、前記制御部１１０は識別符号４３０の画面例示図に図示したように前記第３スケジュール３の詳細情報を出力することができる。一方、前記識別符号４３０の画面例示図では詳細情報を全体画面に出力することを図示したが、前記詳細情報はポップアップウィンドウ形態で表示されることもできる。
【００５５】
上述したような本発明の実施形態による携帯端末機のスケジュール管理方法は多様なコンピューター手段を通じて実行されることができるプログラムコマンド形態に具現されてコンピューターで判読可能な記録媒体に記録されることができる。この時、前記コンピューターで判読可能な記録媒体はプログラムコマンド、データファイル、データ構造などを単独でまたは組み合わせて含むことができる。一方、記録媒体に記録されるプログラムコマンドは本発明のために特別に設計されて構成されたものであるか、コンピューターソフトウェア当業者に公知されて使用可能なものであってもよい。前記コンピューターで判読可能な記録媒体にはハードディスク、フロッピー（登録商標）ディスク及び磁気のテープのような磁気媒体(Ｍａｇｎｅｔｉｃ  Ｍｅｄｉａ)、ＣＤ−ＲＯＭ、ＤＶＤのような光記録媒体(Ｏｐｔｉｃａｌ  Ｍｅｄｉａ)、フロプティカルディスク(Ｆｌｏｐｔｉｃａｌ  Ｄｉｓｋ)のような磁気−光媒体(Ｍａｇｎｅｔｏ−Ｏｐｔｉｃａｌ  Ｍｅｄｉａ)、及びロム(ＲＯＭ)、ラム（ＲＡＭ）、フラッシュメモリーなどのようなプログラムコマンドを記憶して実行するように特別に構成されたハードウェア装置が含まれる。また、プログラムコマンドにはコンパイラーによって作られることと同じ機械語コードだけではなくインタプリターなどを使用してコンピューターによって実行されることができる高級言語コードを含む。上述したハードウェア装置は本発明の動作を実行するために１つ以上のソフトウェアモジュールとして作動するように構成されることができる。
【００５６】
上述した本発明はスケジュール検索のとき、イベント、タスク及びメモなどの形態で携帯端末機に記憶されたすべてのスケジュールを検索し、検索されたスケジュールを時間線形態で表示することによって、ユーザは関連付けられたスケジュールを一目で容易に把握することができる。従って、ユーザはスケジュール管理を効率的に行うことができる。
【００５７】
以上、本発明の実施形態による携帯端末機のスケジュール管理方法及び装置に対して本明細書及び図面を通じて好ましい実施形態に対して説明した。たとえ特定用語が使用されたがこれはただ本発明の記述内容を容易に説明して発明の理解を助けるために一般的な意味で使用されたものであって、本発明が前述した実施形態に限定されるものではない。即ち、本発明の技術的思想に基づいて多様な実施形態が可能であることは本発明が属する技術分野で通常の知識を有する者に自明なものである。
【図１】
2014527238.tif 000003
【図２】
2014527238.tif 000004
【図３】
2014527238.tif 000005
【図４】
2014527238.tif 000006
【国際調査報告】
2014527238.tif 000007
2014527238.tif 000008
2014527238.tif 000009
2014527238.tif 000010
2014527238.tif 000011